(57)【要約】      （修正有）【課題】押しボタンにより止水状態とされた際に弁機構の上流の水栓本体は通水された状態であることを使用者に認識させ、水栓本体での使用者による自発的な止水を促すことで、弁機構に給水圧が作用した状態が長期間続くことを回避することが可能な吐水ヘッド、及びそれを備えた水栓装置を提供する。【解決手段】上流に水栓本体を有する通水路の中途に、押しボタン１４により開閉する弁機構３０を介設した吐水ヘッドであって、前記押しボタン１４による前記弁機構３０を閉じるための操作が行われた状態において、前記弁機構３０に前記水栓本体からの給水圧が作用していない状態と前記弁機構３０に前記給水圧が作用している状態とで前記押しボタン１４の位置が変位する。【選択図】図４
2014064745.tif 000002
【特許請求の範囲】
【請求項１】
上流に水栓本体を有する通水路の中途に、押しボタンにより開閉する弁機構を介設した吐水ヘッドであって、
前記押しボタンによる前記弁機構を閉じるための操作が行われた状態において、前記弁機構に前記水栓本体からの給水圧が作用していない状態と前記弁機構に前記給水圧が作用している状態とで前記押しボタンの位置が変位することを特徴とする吐水ヘッド。
【請求項２】
前記押しボタンは、前記弁機構の通水を許容する開状態と、前記弁機構の止水を行うための閉状態とを有し、前記閉状態で、前記弁機構に給水圧が作用する圧作用位置と、前記弁機構に給水圧が作用しない圧解除位置との間で変位し、
前記押しボタンが前記圧作用位置に位置することの報知と、前記押しボタンが前記圧解除位置に位置することの報知との少なくとも一方を行う報知手段を有する請求項１に記載の吐水ヘッド。
【請求項３】
前記報知手段は、前記押しボタンのマーキングの露出または非露出で報知を行う請求項２に記載の吐水ヘッド。
【請求項４】
前記弁機構は、弁座と、前記押しボタンが押圧操作される方向と略直交し、且つ前記通水路の通路方向に沿う方向に移動可能に設けられ、前記押しボタンが押圧操作されることで前記通路方向に沿う方向に往復移動して前記弁座に離着座し、前記通水路を開閉する弁体と、を有する請求項１〜３のいずれか１項に記載の吐水ヘッド。
【請求項５】
請求項１〜４のいずれか１項に記載の吐水ヘッドを備えた水栓装置であって、前記吐水ヘッドに給水を行うホースと、前記ホースへの給水または止水を行う開閉弁を内蔵する水栓本体と、を有する水栓装置。
【発明の詳細な説明】
【技術分野】
【０００１】
本発明は、通水路の中途に押しボタンにより開閉する弁機構を備えた吐水ヘッド及びそれを備えた水栓装置に関する。
【背景技術】
【０００２】
従来、例えば水栓本体からホース等を介して供給される水を吐水するシャワーヘッド等の吐水ヘッドにおいて、通水路の中途に弁機構を備えたものが知られている。この種の吐水ヘッドには、弁機構を開閉するための押しボタンを備えるものがある。使用者がこの押しボタンを操作することで、弁機構が作動し、吐水ヘッドの吐水状態と止水状態とが切り替わる（例えば、特許文献１参照。）。そのため、例えば使用者がシャンプー等を行っている最中で目を開けづらい状況においても、手元の吐水ヘッドに備えられた押しボタンを操作することで簡単に吐水状態と止水状態とを切り替えられる利点があった。
【先行技術文献】
【特許文献】
【０００３】
【特許文献１】特開２００７−００７０２６号公報
【発明の概要】
【発明が解決しようとする課題】
【０００４】
ところで、上述した従来の吐水ヘッドには、その上流側にホース等を介して接続される水栓本体とともに水栓装置を構成するものがある。水栓装置においては、吐水ヘッドは、その上流側の水栓本体からの給水を、ホース等を介して受けるとともに、上述したように押しボタンにより操作される弁機構によって止水・吐水を行う。一方、水栓本体は、吐水ヘッドに対する給水と止水を切り替えるための開閉弁を有する。そのため、水栓装置においては、吐水ヘッドの上流側に接続された水栓本体における開閉弁による給水と止水の切り替えと、吐水ヘッドにおける弁機構による吐水と止水の切り替えとが行われる。このような構成においては、使用者の使用形態によっては、吐水ヘッドが吐水状態から止水状態へと切り替えられた際に、吐水ヘッドの上流の水栓本体では通水された状態となる。即ち、吐水状態から、押しボタンの操作によって弁機構を閉じて吐水ヘッドを止水状態とすることにより、水栓本体からの給水が吐水ヘッドの弁機構によって止水された状態となる。このような状態では、閉状態の弁機構や押しボタンのシール部材やホース等に、水栓本体から供給される水の給水圧（水道水の供給圧力）が作用した状態となる。この状態が長期間続くことは、弁機構や押しボタンのシール部材やホース等の劣化を進行させる。このため、吐水ヘッドの弁機構における止水不良やそれに伴う漏水の発生、押しボタンの操作性の悪化が生じてしまうという懸念があった。
【０００５】
本発明は、上述した問題を解決するためになされたものであり、押しボタンにより止水状態とされた際に弁機構の上流の水栓本体は通水された状態であることを使用者に認識させ、水栓本体での使用者による自発的な止水を促すことで、弁機構に給水圧が作用した状態が長期間続くことを回避することが可能な吐水ヘッド、及びそれを備えた水栓装置を提供することを目的とする。
【課題を解決するための手段】
【０００６】
本発明は、上流に水栓本体を有する通水路の中途に、押しボタンにより開閉する弁機構を介設した吐水ヘッドであって、前記押しボタンによる前記弁機構を閉じるための操作が行われた状態において、前記弁機構に前記水栓本体からの給水圧が作用していない状態と前記弁機構に前記給水圧が作用している状態とで前記押しボタンの位置が変位することを特徴とする吐水ヘッドである。
【０００７】
このように構成された本発明の吐水ヘッドにおいては、押しボタンによる弁機構を閉じるための操作が行われた状態において、弁機構に給水圧が作用していない状態と弁機構に給水圧が作用している状態とで押しボタンの位置が変位する。そのため、吐水ヘッドの弁機構では止水が行われているが弁機構の上流の水栓本体は通水状態である場合、即ち、弁機構に給水圧が作用している場合、押しボタンの位置が変位するので、弁機構に給水圧が作用しているということを使用者に認識させ、使用者に向けて注意喚起を行うことができる。注意喚起に従って使用者が弁機構より上流側においても止水を行うことで、弁機構や押しボタンのシール部材等に給水圧による負荷が長期間かかり続けることが回避される。従って、弁機構や押しボタンのシール部材等に劣化が生じにくくなり、止水不良やそれに伴う漏水の発生、押しボタンの操作性の悪化を生じにくくさせることが可能となる。
【０００８】
本発明においては、さらに、前記押しボタンは、前記弁機構の通水を許容する開状態と、前記弁機構の止水を行うための閉状態とを有し、前記閉状態で、前記弁機構に給水圧が作用する圧作用位置と、前記弁機構に給水圧が作用しない圧解除位置との間で変位し、前記押しボタンが前記圧作用位置に位置することの報知と、前記押しボタンが前記圧解除位置に位置することの報知との少なくとも一方を行う報知手段を有する。
【０００９】
このように構成された本発明の吐水ヘッドにおいては、報知手段によって、押しボタンが圧作用位置に位置しているのか否か、圧解除位置に位置しているのか否かの少なくとも一方が報知される。そのため、より確実に使用者に注意喚起を行うことができ、弁機構や押しボタンの給水圧の負荷による劣化をより生じにくくすることができる。劣化がより生じにくいため、止水不良やそれに伴う漏水の発生、押しボタンの操作性の悪化をより確実に生じにくくさせることが可能となる。
【００１０】
本発明においては、さらに、前記報知手段は、前記押しボタンのマーキングの露出または非露出で報知を行う。
【００１１】
このように構成された本発明の吐水ヘッドにおいては、押しボタンへのマーキングという簡単な加工によって、より確実に使用者に注意喚起を行うことができ、弁機構や押しボタンの給水圧の負荷による劣化を生じにくくすることができる。
【００１２】
本発明においては、さらに、前記弁機構は、弁座と、前記押しボタンが押圧操作される方向と略直交し、且つ前記通水路の通路方向に沿う方向に移動可能に設けられ、前記押しボタンが押圧操作されることで前記通路方向に沿う方向に往復移動して前記弁座に離着座し、前記通水路を開閉する弁体と、を有する。
【００１３】
このように構成された本発明の吐水ヘッドにおいては、弁体は、押しボタンが押圧操作される方向と略直交し、通水路の通路方向に沿う方向に往復移動することで弁座へと離着座され通水路を開閉する。給水圧は通水路の通路方向と沿った方向に作用するため、吐水ヘッドが止水状態とされつつ且つ弁機構よりも上流側で止水が行われていない場合には、より簡単な構成で、給水圧の作用により弁機構を閉状態とすることができる。
【００１４】
また、本発明は、前記吐水ヘッドを備えた水栓装置であって、前記吐水ヘッドに給水を行うホースと、前記ホースへの給水または止水を行う開閉弁を内蔵する水栓本体と、を有する水栓装置である。
【００１５】
このように構成された本発明の水栓装置においては、押しボタンによる弁機構を閉じるための操作が行われた状態で、弁機構に給水圧が作用していない状態と弁機構に給水圧が作用している状態において押しボタンの位置が変位する。そのため、吐水ヘッドの弁機構では止水が行われているが弁機構の上流の水栓本体は通水状態である場合、即ち、弁機構に給水圧が作用している場合、押しボタンの位置が変位するので、弁機構に給水圧が作用しているということを使用者に認識させ、使用者に向けて注意喚起を行うことができる。注意喚起に従って使用者が弁機構より上流側においても止水を行うことで、弁機構や押しボタンのシール部材、ホース等に給水圧による負荷が長期間かかり続けることが回避される。従って、弁機構や押しボタンのシール部材、ホース等に劣化が生じにくくなり、止水不良やそれに伴う漏水の発生、押しボタンの操作性の悪化を生じにくくさせることが可能となる。
【発明の効果】
【００１６】
本発明の吐水ヘッド及びそれを備えた水栓装置によれば、押しボタンにより止水された状態の際に弁機構の上流の水栓本体は通水された状態であることを使用者に認識させることができる。それにより、水栓本体での使用者による自発的な止水を促すことで、弁機構に給水圧が作用した状態が長期間続くことを回避することが可能となる。
【図面の簡単な説明】
【００１７】
【図１】（ａ）本発明の一実施形態における水栓装置を示す外観斜視図。（ｂ）本発明の一実施形態における水栓装置の水路を示すブロック図。
【図２】本発明の一実施形態におけるシャワーヘッドの内部構造を示す断面図。
【図３】本発明の一実施形態における吐水状態での押しボタン及び弁機構を示す断面図。
【図４】本発明の一実施形態におけるシャワーヘッドが止水状態且つ水栓本体では止水が行われていない状態での押しボタン及び弁機構を示す断面図。
【図５】本発明の一実施形態におけるシャワーヘッドが止水状態且つ水栓本体でも止水が行われている状態での押しボタン及び弁機構を示す断面図。
【発明を実施するための形態】
【００１８】
以下、図面を参照して本発明の一実施形態における吐水ヘッド及びそれを備えた水栓装置について説明する。
図１（ａ）は本発明の一実施形態における水栓装置を示す外観斜視図、（ｂ）は本発明の一実施形態における水栓装置の水路を示すブロック図である。
【００１９】
図１（ａ）及び（ｂ）に示すように、本実施形態における水栓装置１は、図示しない給水源から水が供給される水栓本体２と、水栓本体２からの水を吐水するカラン３と、水栓本体２からカラン３への流路とは異なる流路で水栓本体２から水を導水するホース４と、ホース４により導水された水を吐水する吐水ヘッドとしてのシャワーヘッド６とを有する。
【００２０】
水栓本体２は、ホース４への給水または止水を行う開閉弁８を内蔵する。ホース４は、シャワーヘッド６に給水を行う。シャワーヘッド６は、上流側に水栓本体２を有しホース４に連通する通水路１５の中途に、押しボタン１４により開閉される弁機構３０を介設する。なお、本願明細書において「水」という場合には、冷水のみならず、加熱されたお湯や、冷水とお湯とを混合したものも含むものとする。
【００２１】
水栓本体２は、ホース４もしくはカラン３への給水の開始またはホース４及びカラン３への給水の停止を行う開閉弁８と、給水源（図示なし）から供給された水の温度を調節するための温調ハンドル９と、開閉弁８を作動させる切り替えハンドル１０とを有する。
【００２２】
本実施形態では、図１（ａ）に示すように、水栓本体２は、円筒状の外形を有する本体部２ａを有する。本体部２ａは、その円筒状の外形における中心軸方向が左右方向（水平方向）となる姿勢で設けられる。本体部２ａの内部に、開閉弁８が設けられる。また、本体部２ａの中心軸方向の一端側（図１（ａ）では左端側）に温調ハンドル９が設けられ、本体部２ａの中心軸方向の他端側（同図右端側）に切り替えハンドル１０が設けられる。
【００２３】
また、水栓本体２の本体部２ａの下側に、カラン３及びホース４が接続される。カラン３及びホース４は、水栓本体２の本体部２ａの左右略中央部分における下側に設けられるカラン接続管２ｂと図示しないホース接続管をそれぞれ介して、本体部２ａに接続される。つまり、給水源から水栓本体２に供給された水は、本体部２ａからカラン接続管２ｂを介してカラン３へ、本体部２ａからホース接続管（図示せず）を介してホース４に導かれる。そして、水栓本体２からカラン３への給水と、水栓本体２からホース４（シャワーヘッド６）への給水とが、上記のとおり開閉弁８を作動させる切り替えハンドル１０の操作によって切り替えられる。
【００２４】
シャワーヘッド６は、内部に水を通過させる通水路１５を備えたシャワーヘッド本体７と、このシャワーヘッド本体７に嵌着され水を吐出する散水板１２と、シャワーヘッド６の止水状態と吐水状態とを切り替えるために押圧操作される押しボタン１４とを有する。
【００２５】
シャワーヘッド本体７は、略円板状の外形を有しシャワー水の吐出口が設けられる頭部と、この頭部の一端側から延設される略棒状の胴部とを有する。シャワーヘッド本体７において、通水路１５は、胴部の先端側から頭部にかけて設けられる。また、シャワーヘッド本体７においては、上述したとおり一端が水栓本体２の本体部２ａに接続されるホース４の他端が胴部の先端側に接続される。つまり、シャワーヘッド本体７においては、胴部の先端側から供給された水が、通水路１５を通って頭部側から吐出される。
【００２６】
具体的には、シャワーヘッド本体７は、その頭部において、通水路１５の先端部に配置される円形の円形開口部７ａを有する。円形開口部７ａは、略円板状の外形を有する頭部において一方の板面側に開口するように設けられる。円形開口部７ａには、シャワー水の吐出口を構成する散水板１２が嵌着される。また、シャワーヘッド本体７は、頭部から突出した状態で設けられる胴部において、把持部７ｂを有する。つまり、円形開口部７ａが設けられる頭部とともにシャワーヘッド本体７を構成する胴部の少なくとも一部は、使用者によって把持される把持部７ｂとして機能する。把持部７ｂの端部、即ち胴部の先端部に、通水路１５とホース４とが連通するように、ホース４の一端側が接続されている。
【００２７】
押しボタン１４は、外形が円柱状のボタンであり、円柱状の外形における中心軸方向が押圧操作される方向に沿うように、シャワーヘッド本体７の胴部から突出した状態で設けられる。本実施形態では、押しボタン１４は、シャワーヘッド本体７における胴部の頭部に対する付け根部分において、頭部の円形開口部７ａと同じ側に突出した状態で設けられる。押しボタン１４は、シャワーヘッド本体７に設けられた開口部１１からシャワーヘッド本体７の外部に臨むように設けられる。このように設けられた押しボタン１４は、使用者によって把持部７ｂを把持した状態で押圧操作される。押しボタン１４を押圧操作することにより、通水路１５の中途に介設された弁機構３０が開閉され、シャワーヘッド６の止水状態と吐水状態とが交互に切り替えられるようになっている。
【００２８】
次に、図２を参照して、本発明の実施形態におけるシャワーヘッドの内部構造を説明する。図２は本発明の一実施形態におけるシャワーヘッドの内部構造を示す断面図である。
【００２９】
図２に示すように、シャワーヘッド本体７の内部には、円形開口部７ａに連通し、ホース４により導水された水が流れる通水路１５が形成されている。通水路１５は、ホース４から導水された水を弁機構３０に向けて流入させる入水路１６と、この入水路１６の下流側の先端部１６ａに収納される弁機構３０を介して入水路１６と連通する出水路１８とを有する。
【００３０】
またシャワーヘッド本体７には、出水路１８の下流側の先端部に取り付けられた通水路連結部２０と、この通水路連結部２０に受け入れられた整流部２２と、散水板１２の裏面側に設けられた散水室２４と、この散水室２４と散水板１２との間に設けられた散水ノズル部２６と、この散水ノズル部２６の中央に配置された拡散部２８とが内蔵されている。また、散水板１２においては、複数の散水孔１２ａが形成された円板状の本体部の裏面側に、散水板１２を円形開口部７ａ内に取り付けるための、円筒状の取り付け部１２ｂが連設されている。
【００３１】
入水路１６は、その上流側となる基端部に、ホース４に接続される接続部１６ｂが形成されている。また、入水路１６の下流側の先端部１６ａには、押しボタン１４により開閉する弁機構３０が収納されている。弁機構３０の詳細については後述する。さらに、入水路１６における先端部１６ａよりも上流側には、安全弁１７が設けられている。安全弁１７は、入水路１６と連通する空間に設けられ、過大な給水圧がかかった場合に入水路１６から水をシャワーヘッド６の外部へと逃がし、ホース４への過大な付加が掛からないようにしている。
【００３２】
出水路１８は、その上流側となる基端部にて、弁機構３０を介して入水路１６の下流側の先端部１６ａに連通する。また、出水路１８の下流側の先端部には、通水路連結部２０が受け入れられている。
【００３３】
通水路連結部２０は、出水路１８と散水板１２とを連結する。通水路連結部２０は、同心円状に形成された小口径円筒部２０ａ及び大口径円筒部２０ｂを備え、全体として略円環状に構成される。通水路連結部２０は、小口径円筒部２０ａの内周側に整流部２２を受け入れた状態で、出水路１８の取り付け部１８ａに受け入れられる。これにより、出水路１８と整流部２２とが通水路連結部２０を介して連結される。また、通水路連結部２０の大口径円筒部２０ｂは、散水板１２の取り付け部１２ｂの内周側に受け入れられる。これにより、出水路１８と散水板１２とが通水路連結部２０を介して連結される。
【００３４】
整流部２２は、略円筒状の外形を有し、その筒軸方向の一側の端部が窄まるように構成されている。そして、整流部２２は、通水路連結部２０の小口径円筒部２０ａ内において、窄まる側が下流側、つまりシャワー水の吐水側を向くように設けられる。これにより、出水路１８から流入した水が整流部２２によって絞られ、水の流速が高くなる。
【００３５】
散水室２４は、シャワーヘッド本体７の円形開口部７ａの開口端面と略平行な偏平な空間である。散水室２４の中央に、整流部２２の窄まった先端部と拡散部２８とが挿入される。
【００３６】
散水ノズル部２６は、ゴム製の略円板状であり、散水室２４と散水板１２の円板状の本体部との間に配置される。散水ノズル部２６には、多数の散水ノズル２６ａが設けられており、これらの散水ノズル２６ａは、散水板１２に設けられた多数の散水孔１２ａを通ってシャワーヘッド６の外部へ突出している。
【００３７】
拡散部２８は、略円形の円板部２８ａと、この円板部２８ａの中心から円板部２８ａに対して垂直に延びる軸部２８ｂとを有する。軸部２８ｂは整流部２２の中心部に挿入されて固定される。円板部２８ａは、整流部２２の先端との間に隙間を空けて、整流部２２の中央の開口部を覆うように配置される。これにより、整流部２２を通過した水は、整流部２２の先端と円板部２８ａとの間を通って放射状に拡散しながら散水室２４内に流入する。また、円板部２８ａは、散水ノズル部２６の中央部に当接した状態で設けられ、散水ノズル部２６を散水板１２の本体部に押し付けている。
【００３８】
次に、図３〜図５を参照して本発明の実施形態による押しボタン１４及び弁機構３０について説明する。図３は本発明の一実施形態における吐水状態での押しボタン及び弁機構を示す断面図、図４は本発明の一実施形態におけるシャワーヘッドが止水状態且つ水栓本体では止水が行われていない状態での押しボタン及び弁機構を示す断面図、図５は本発明の一実施形態におけるシャワーヘッドが止水状態且つ水栓本体でも止水が行われている状態での押しボタン及び弁機構を示す断面図である。
【００３９】
図３〜図５に示すように、押しボタン１４は、略円筒形状の部材であり、シャワーヘッド本体７の開口部１１から突出する先端側が閉塞し、その反対側の基端側が開口した形状を有する。ここで、押しボタン１４をシャワーヘッド本体７の外部に突出させる開口部１１は、シャワーヘッド本体７の外周面部において隆起部分として設けられ、その隆起部分の上端側を開口端面とする。
【００４０】
また、押しボタン１４には、マーキング１４ａが設けられている。マーキング１４ａは、押しボタン１４の外周面に沿って全周に亘って設けられた、押しボタン１４の他の部分とは異なる色の環状の領域である。マーキング１４ａは、押しボタン１４の外周面に施された塗装でも良く、押しボタン１４の外周面に溝を設け、この溝に環状部材を嵌め込む方法で形成しても良い。
【００４１】
また、押しボタン１４は、シャワーヘッド本体７の内部に形成された押しボタン室２９に設けられる。押しボタン室２９は、シャワーヘッド本体７の内部において、入水路１６の先端部１６ａを形成する壁部とシャワーヘッド本体７の把持部７ｂの外郭との間に形成された空間である。この押しボタン室２９は把持部７ｂの外郭に隆起した状態で設けられた開口部１１と連通している。押しボタン１４は開口部１１から進退自在に突出した状態で設けられる。さらに、隆起部分である開口部１１の周縁部１１ａは、押しボタン１４の位置に応じて、マーキング１４ａの露出状態、つまり使用者によってマーキング１４ａが視認可能な状態と、マーキング１４ａの非露出状態、つまりマーキング１４ａが隠れた状態とを切り替える。このように、本実施形態では、押しボタン１４に設けられたマーキング１４ａと、押しボタン１４の位置に応じてマーキング１４ａの露出状態・非露出状態を切り替える開口部１１とを含む構成が、押しボタン１４の位置を報知する報知手段として機能する。
【００４２】
図３〜図５に示すように、弁機構３０は、弁孔３１と、弁体３２と、弁座３４と、弁体バネ３５と、操作軸３６と、押しボタン機構３８とを有する。
【００４３】
弁孔３１は、入水路１６の先端部１６ａにおいて、入水路１６の下流端であって出水路１８の上流端に位置する。つまり、弁孔３１は、入水路１６と出水路１８との境界における通路部分を構成する。弁孔３１は、シャワーヘッド本体７の内部において、入水路１６の先端部１６ａを形成する部分と、出水路１８の上流部分を形成する部分との間に介装された状態で設けられる円環状の弁座部材３３により形成される。つまり、円環状の弁座部材３３の中心の孔部分により弁孔３１が形成される。
【００４４】
弁体３２は、入水路１６の先端部１６ａ内に設けられ、押しボタン１４の押圧操作に基づいて弁孔３１を開閉する。弁体３２は、略円筒形状の部材であり、弁座部材３３により構成される弁座３４に対して着座または離座する着座部３２ａと、弁体バネ３５が取り付けられるバネ取り付け部３２ｂと、操作軸３６を受け入れる孔部３２ｃとを有する。また、弁体３２の両側面には図示しない摺動突起が設けられている。一方、入水路１６の先端部１６ａ内壁には、弁体３２の摺動突起を受け入れる図示しないガイド溝が設けられている。これらの構成により、弁体３２は、先端部１６ａ内において、摺動突起をガイド溝に沿わせて移動することで、通水路１５の通路方向（図３において左右方向）にガイドされた状態で往復移動する。
【００４５】
着座部３２ａは、弁体３２の先端に設けられた断面円形状の部分である。この着座部３２ａが弁座３４に着座することにより、弁体３２によって弁孔３１が閉鎖される。
【００４６】
バネ取り付け部３２ｂは、弁体３２の略円筒形状の基部に設けられた突起状の尾部である。バネ取り付け部３２ｂは、弁体３２の基部において、上流側（図３において右側）に設けられる。このバネ取り付け部３２ｂが弁体バネ３５の内側に嵌め込まれることにより、弁体バネ３５が弁体３２に取り付けられる。つまり、弁体バネ３５は、突起状のバネ取り付け部３２ｂに外嵌された状態で設けられる。また、バネ取り付け部３２ｂは、入水路１６の先端部１６ａを形成する壁部に設けられた孔部に挿入される。このバネ取り付け部３２ｂの孔部に対する挿入方向は、弁体３２の往復移動方向に沿う方向となる。
【００４７】
孔部３２ｃは、弁体３２の摺動方向に対して傾斜する傾斜平面３２ｄにより上方（図３〜図５における上方向）に向けて拡開する孔部分である。
【００４８】
傾斜平面３２ｄは、孔部３２ｃを形成する面のうち上流側（図３において右側）の面に設けられる。傾斜平面３２ｄは、弁体３２に対して押しボタン１４が設けられる側を上側とした場合、上流側から下流側（図３において左側）にかけて下る斜面である。
【００４９】
弁座３４は、弁体３２が着座または離座する部分であり、上述したとおり円環状の部材である弁座部材３３により構成される。具体的には、弁体３２の着座部３２ａは、その先端外周縁部に、弁座３４に対する着座面となる球面形状の外周面を有する。これに対し、弁座３４は、着座部３２ａの先端部を受け入れる座面として、弁座部材３３の内周側に形成されるテーパ状の内周面を有する。即ち、弁体３２は、その着座部３２ａの球面形状の外周面を、弁座３４のテーパ状の内周面に接触させた状態で、弁座３４に着座する。また、弁座３４は、弁座部材３３が入水路１６の先端部１６ａを形成する部分と出水路１８の上流部分を形成する部分との間に介装された状態で設けられることで、弁体３２と対向するように位置決めされる。
【００５０】
弁体バネ３５は、コイルバネであり、弁体３２を弁座３４に着座する方向へ付勢するように配置されている。弁体バネ３５は、上述のとおり弁体３２のバネ取り付け部３２ｂに外嵌された状態で設けられる。そして、弁体バネ３５は、その一端側（バネ取り付け部３２ｂの先端側）を、バネ取り付け部３２ｂが挿入される孔部を形成する壁部の壁面に当接させるとともに、他端側（バネ取り付け部３２ｂの基端側）を、弁体３２の基部においてバネ取り付け部３２ｂが突出する側の面に対して当接させた状態で設けられる。つまり、弁体バネ３５は、バネ取り付け部３２ｂが挿入される孔部を形成する壁部と弁体３２の基部との間に挟まれた状態で設けられ、弾性力により、弁体３２を下流側（図３において左側）に押圧付勢する。ここで、弁体バネ３５の一端側は、バネ取り付け部３２ｂが挿入される孔部の周囲に形成された段差部に嵌合した状態で位置決めされる。
【００５１】
操作軸３６は、下端側が開口した略円筒形状の部材である押しボタン１４内において中心軸の位置にて下端開口から下側に突出した状態で、押しボタン１４と一体的に設けられる円形断面の棒状の部材である。操作軸３６は、押しボタン１４の押圧操作にともなって押しボタン１４と一体的に移動し、弁体３２を移動させる。
【００５２】
操作軸３６において、押しボタン１４の下側から突出する下端部分は、入水路１６の先端部１６ａ内に突出し、先端部１６ａ内に設けられた弁体３２に当接する。具体的には、操作軸３６は、その下端を、弁体３２の孔部３２ｃ、詳細には孔部３２ｃの傾斜平面３２ｄに当接させた状態で設けられる。傾斜平面３２ｄに当接する操作軸３６の先端は、その中心軸線に対して回転対称な半球面状に構成されている。
【００５３】
また、操作軸３６は、その中心軸線が、弁体３２の移動方向に対して略直交する方向に向くように配置される。なお、上述したとおり操作軸３６の先端は半球面状に構成されているため、弁機構３０の組み立て時において、操作軸３６が如何なる回転位置に組み付けられた場合においても、操作軸３６の先端と弁体３２の傾斜平面３２ｄとの接触状態について一定の状態が得られる。このため、操作軸３６の組み付け方向を管理する必要がなく、弁機構３０の組み立てを容易にすることができる。また、操作軸３６と入水路１６との間にはパッキン４０が配置され、部材間の水密性が確保されている。
【００５４】
このように設けられる操作軸３６は、押しボタン１４の押圧操作にともなって、先端側を入水路１６の先端部１６ａ内に突出させる方向に移動することで、弁体３２の傾斜平面３２ｄを押圧する。これにより、弁体３２は、弁体バネ３５の押圧付勢力に抗して、上流側に向かう方向、つまり着座部３２ａが弁座３４から離座して弁孔３１が開放される方向に移動する。このように、弁体３２が有する傾斜平面３２ｄは、操作軸３６の軸方向に沿う縦方向（図３において上下方向）の移動を、弁体３２についての通水路１５の通路方向に沿う横方向（図３において左右方向）の移動に変換する。
【００５５】
押しボタン機構３８は、押しボタン室２９に設けられる押しボタン１４と、押しボタン１４内から突出した状態で設けられる操作軸３６との間に設けられる。即ち、押しボタン機構３８は、その中心部分に操作軸３６を挿通させつつ、外側部分に押しボタン１４を嵌合させた状態で設けられる。
【００５６】
押しボタン機構３８は、押しボタン１４に覆われたラッチ機構本体３８ａと、ラッチ機構本体３８ａ内部にて回転する回転子３８ｂと、ラッチ機構本体３８ａに固定され回転子３８ｂを弁体３２側（下側）に向けて付勢するコイルバネである押しボタン側バネ３８ｃと、ラッチ機構本体３８ａに固定され回転子３８ｂを押しボタン１４側（上側）に向けて付勢するコイルバネである弁体側バネ３８ｄとを有する。
【００５７】
押しボタン機構３８は、押しボタン１４が押圧操作される毎に、図３に示す弁機構３０の通水を許容する開状態での操作軸３６と押しボタン１４の保持と、弁機構３０が閉状態となるための操作軸３６と押しボタン１４の保持の解除とを交互に行うラッチ機構として機能する。つまり、押しボタン機構３８は、押しボタン１４の押圧操作毎に、弁機構３０の開状態と閉状態とを切り替えるための構成である。本実施形態の押しボタン機構３８で採用されるラッチ機構は、各種水栓装置、ノック式ボールペン等にも使用されている周知の機構である。
【００５８】
ラッチ機構本体３８ａは略円筒状で、このラッチ機構本体３８ａの内壁面（内周面）には図示しない軸線方向（上下方向）の溝が形成されている。このラッチ機構本体３８ａが有する軸線方向の溝（以下「ラッチ機構内周溝」という。）は、ラッチ機構本体３８ａの内周面の周方向に対して複数形成されている。つまり、ラッチ機構内周溝は、回転子３８ｂの回転方向に対して複数形成されている。ラッチ機構内周溝としては、軸線方向の長さが長い溝と短い溝とが交互に設けられている。また、ラッチ機構本体３８ａの内部には回転子３８ｂを介して操作軸３６が挿入されている。操作軸３６の下端部は、ラッチ機構本体３８ａの下方から入水路１６の先端部１６ａ内に突出している。また、下側が開口した略円筒形状の押しボタン１４は、略円筒状のラッチ機構本体３８ａに対して上側から被さった状態で、押圧操作されることによってラッチ機構本体３８ａの外周面に対して摺動する態様で設けられる。
【００５９】
ラッチ機構本体３８ａは、押しボタン１４の押圧操作によって互いに一体的に移動する押しボタン１４及び操作軸３６に対して、所定の位置に固定された状態で設けられる構成である。このため、回転子３８ｂは、押しボタン１４及び操作軸３６の移動にともなってこれらに対して相対的に移動する。
【００６０】
回転子３８ｂは略円筒状で、回転子３８ｂの中心部（筒軸部分）に操作軸３６が嵌合されている。回転子３８ｂは、押しボタン側バネ３８ｃにより下方向の付勢力を受け、弁体側バネ３８ｄにより上方向の付勢力を受ける。回転子３８ｂは、押しボタン１４の押圧操作により押しボタン１４及び操作軸３６と一体的に軸線方向（上下方向）に往復移動するとともに、ラッチ機構本体３８ａ内部で中心軸線方向を回転軸方向として所定角度回転する。また、回転子３８ｂの外周側には、回転子３８ｂの径方向に突出したガイド３８ｅが形成されている。
【００６１】
ガイド３８ｅは、押しボタン１４が押圧操作される毎に、回転子３８ｂの回転により、ラッチ機構内周溝のうち軸線方向の長さが短い溝への係合と長い溝への係合が、交互に行われるように形成されている。ガイド３８ｅがラッチ機構内周溝のうち軸線方向の長さが短い溝へ係合した際、押しボタン１４は、弁機構３０の通水を許容する開状態となる。また、押しボタン１４が開状態で、押しボタン１４が押圧操作されると、押しボタン１４の開状態の保持が解除される。この解除により、ガイド３８ｅがラッチ機構内周溝のうち軸線方向の長さが長い溝へと係合し、押しボタン１４は、弁機構３０の止水を行うための図４または図５に示す閉状態となる。即ち、押しボタン１４の開状態と閉状態とは、押しボタン１４が押圧操作される毎に交互に切り替わる。なお、押しボタン１４について、開状態とは、弁機構３０の通水を許容する状態であり、閉状態とは、弁機構３０の止水を行うための状態である。
【００６２】
図３に示すように、押しボタン１４の開状態では、操作軸３６は、下方に押し下げられ、その先端（下端）によって弁体３２の傾斜平面３２ｄを押圧する。このように操作軸３６が押し下げられた状態では、操作軸３６は、押しボタン機構３８により、先端を傾斜平面３２ｄの下端部に位置させた状態で保持される。下方に押し下げられる操作軸３６は、弁体３２の傾斜平面３２ｄを押圧することで、弁体バネ３５の付勢力に抗して、弁体３２を上流側（図３において右側）に移動させる。上流側に移動した弁体３２は、押しボタン機構３８によって保持された状態の操作軸３６により、弁孔３１を開放する位置に保持される。
【００６３】
押しボタン１４は、その閉状態で、弁機構３０に作用する給水圧の有無によって、弁機構３０に給水圧が作用することで弁機構３０が止水される圧作用位置と、この圧作用位置とは異なる位置であり弁機構３０に給水圧が作用しない圧解除位置との間で変位するよう構成されている。つまり、閉状態の押しボタン１４は、開状態での位置との関係では押しボタン機構３８によって押圧方向（上下方向）移動が規制されるものの、弁機構３０に対する給水圧の作用の有無によって、押圧方向の位置について、開口部１１の開口端からの突出量が比較的多い圧作用位置と、開口部１１の開口端からの突出量が比較的少ない圧解除位置との間で変位する。
【００６４】
弁機構３０に給水圧が作用した場合、弁体３２に作用する給水圧に基づく力ならびに弁体バネ３５の付勢力によって、弁体３２は弁座３４に着座する。この弁体３２が弁座３４に着座した状態は、弁機構３０に給水圧が作用する限り保持される。この弁体３２の着座する側への移動により、図４に示すように、操作軸３６が、押しボタン側バネ３８ｃの付勢力に抗して、操作軸３６の先端が傾斜平面３２ｄの上端部に位置する状態まで押し上げられる。このように操作軸３６が押し上げられた状態は、弁機構３０に作用する給水圧によって保持される。操作軸３６の先端の位置が傾斜平面３２ｄの上端部の位置に保持されることで、押しボタン１４が圧作用位置に保持される。押しボタン１４の圧作用位置は、開状態の押しボタン１４（図３参照）と比べ、押しボタン１４が開口部１１からより突出した位置である。
【００６５】
弁機構３０に給水圧が作用しない場合、操作軸３６は、押しボタン側バネ３８ｃと弁体側バネ３８ｄとの付勢力の釣り合いにより弁体３２の傾斜平面３２ｄを押圧する。操作軸３６による弁体３２の押圧により、図５に示すように、操作軸３６が、弁体バネ３５の付勢力に抗して、操作軸３６の先端が傾斜平面３２ｄの中腹部に位置する状態で保持される。操作軸３６がその先端を傾斜平面３２ｄの中腹部に位置させた状態で保持されることで、押しボタン１４が圧解除位置に保持される。押しボタン１４の圧解除位置は、押しボタン１４の開口部１１からの突出量が、開状態での突出量よりも大きく、圧作用位置での突出量よりは小さくなる位置である。また、押しボタン１４が圧解除位置にある状態では、弁体３２は、弁孔３１を開放する位置であって、押しボタン１４の開状態での位置よりは弁孔３１に近い位置に保持される。
【００６６】
なお、押しボタン１４が有するマーキング１４ａは、押しボタン１４の閉状態において、弁機構３０に作用する給水圧が有る場合には、開口部１１の周縁部１１ａの外部に位置して露出した状態となるように、押しボタン１４の外周面に設けられている。従って、マーキング１４ａは、押しボタン１４の閉状態において弁機構３０に給水圧が作用することで、開口部１１から露出して使用者によって視認可能な状態となり、使用者に対し、押しボタン１４が圧作用位置に位置していることを報知する。即ち、マーキング１４ａは、押しボタン１４の閉状態において、水栓本体２からホース４への給水が行われている状態であることを使用者に報知する。
【００６７】
一方、マーキング１４ａは、押しボタン１４の閉状態において、弁機構３０に作用する給水圧が無い場合には、開口部１１の周縁部１１ａの内部に位置して非露出状態となるように設けられている。従って、マーキング１４ａは、押しボタン１４の閉状態において弁機構３０に給水圧が作用しないことで、開口部１１内に隠れた状態となり、使用者に対し、押しボタン１４が圧解除位置に位置していることを報知する。即ち、マーキング１４ａは、押しボタン１４の閉状態において、水栓本体２からホース４への給水が行われていない状態であることを使用者に報知する。
【００６８】
このように、押しボタン１４の閉状態においては、使用者は、露出した状態のマーキング１４ａの有無を視認することで、弁機構３０に作用する給水圧の有無、つまりホース４によりシャワーヘッド６に給水する水栓本体２の開閉状態を判別することができる。すなわち、本実施形態に係るシャワーヘッド６においては、報知手段は、押しボタン１４のマーキング１４ａの露出または非露出で報知を行う。
【００６９】
以下、本実施形態における水栓装置１の動作について説明する。
水栓本体２の切り替えハンドル１０を使用者が操作することで、開閉弁８を開放すると、給水源（図示なし）から水栓本体２へ供給された水が、ホース４によりシャワーヘッド６へと導水される。ホース４に導水され入水路１６の接続部１６ｂから流入した水は、入水路１６を通り弁体３２が収容される先端部１６ａへと至る。
【００７０】
この際、シャワーヘッド６を吐水状態に切り替えるために押しボタン１４を使用者が押圧操作し、操作軸３６がその先端を図３に示す弁体３２の傾斜平面３２ｄの下端部の位置に位置させた状態で保持されている場合、弁体３２は弁座３４から離座した位置にある。そのため、弁体３２に至った水は弁体３２の周囲を通って弁孔３１に流入し、出水路１８に至る。出水路１８に流入した水は、その先端部に接続された整流部２２へと至る。整流部２２に流入した水は、その先端部と拡散部２８の円板部２８ａの間の隙間を通って、散水室２４内に至る。散水室２４内に流入した水は、散水ノズル部２６に設けられた多数の散水ノズル２６ａを通って、散水板１２の散水孔１２ａから吐出され、シャワーヘッド６は吐水状態となる。なお、この際、押しボタン１４は開状態となり、押しボタン１４の外周面に設けられたマーキング１４ａは、開口部１１の周縁部１１ａ内部に位置し、非露出状態となるため、使用者はマーキング１４ａを視認することができない。
【００７１】
次に、シャワーヘッド６を吐水状態から止水状態へと切り替えるために、使用者が押しボタン１４を押圧操作すると、押しボタン１４を開状態とする位置への操作軸３６の保持が解除される。ただし、この際、水栓本体２の開閉弁８は開放されたままの状態、つまりホース４への給水が行われている状態であるとする。操作軸３６の保持が解除されることで、弁体バネ３５の付勢力と、水栓本体２及びホース４を介して弁体３２のバネ取り付け部３２ｂや基端部へと作用する給水圧とにより、弁体３２は、操作軸３６を介して傾斜平面３２ｄに受ける押しボタン側バネ３８ｃの付勢力に抗し、弁座３４に着座する方向へと移動する。図４に示すように、弁座３４に着座する方向へと移動した弁体３２の着座部３２ａにより弁孔３１は閉鎖され、シャワーヘッド６は止水状態となる。また、この際、弁体３２の弁座３４に着座する方向への移動により、傾斜平面３２ｄに先端（下端）を当接させる操作軸３６も、上方向へと移動し、先端を傾斜平面３２ｄの上端部に位置させた状態で保持される。この操作軸３６の上方への移動に伴い、押しボタン１４は、シャワーヘッド６が吐水状態のとき（押しボタン１４が開状態のとき）よりも、開口部１１から突出した位置である圧作用位置に移動する。なお、この際、押しボタン１４の移動により、押しボタン１４の外周面に設けられたマーキング１４ａは、開口部１１の周縁部１１ａの外部に位置し、露出した状態となる。このため、使用者はマーキング１４ａを視認することができる。つまり、使用者は、マーキング１４ａの視認により、押しボタン１４が閉状態であって、水栓本体２からシャワーヘッド６へ繋がるホース４に対する給水が行われている状態を知ることができる。
【００７２】
次に、使用者が水栓本体２の切り替えハンドル１０を操作して開閉弁８を閉止すると、給水源（図示なし）からの給水が停止し、水栓本体２及びホース４を介して弁体３２に作用していた給水圧が無くなる。弁体３２に作用していた給水圧が無くなることで、押しボタン機構３８内部の押しボタン側バネ３８ｃと弁体側バネ３８ｄとの付勢力の釣り合いにより、操作軸３６は、下向きに押し下げられ、弁体３２の傾斜平面３２ｄを押圧する。この操作軸３６の下降により、操作軸３６は、その先端を傾斜平面３２ｄ上を下方向へと移動させ、先端が傾斜平面３２ｄの中腹部に位置した状態で保持される。この操作軸３６の移動に伴い、押しボタン１４は、圧作用位置より下方の位置であって、シャワーヘッド６が吐水状態のとき（押しボタン１４が開状態のとき）よりは開口部１１から突出した位置である圧解除位置へと移動される。また、押しボタン１４が圧解除位置にある状態では、弁体３２は、弁孔３１を開放する位置であり、シャワーヘッド６が吐水状態のときよりは弁孔３１に近い位置に保持される。なお、この際、押しボタン１４の下方への移動により、押しボタン１４の外周面に設けられたマーキング１４ａは、開口部１１の周縁部１１ａの内部に移動し、非露出状態となるため、使用者はマーキング１４ａを視認することができない。
【００７３】
なお、図３に示すシャワーヘッド６の吐水状態において、使用者が押しボタン１４を押圧操作せずに、水栓本体２の切り替えハンドル１０を操作して開閉弁８を閉止すると、シャワーヘッド６は止水状態となる。この際、操作軸３６は、その先端を弁体３２の傾斜平面３２ｄの下端部に位置させた状態で保持されたままとなる。続いて、使用者が押しボタン１４を押圧操作すると、給水圧が作用しないため、操作軸３６は、図５に示すように、先端を傾斜平面３２ｄの中腹部に位置させた状態で保持される。
【００７４】
上述した本発明の一実施形態における水栓装置１においては、押しボタン１４による弁機構３０を閉じるための操作が行われた状態で、弁機構３０に水栓本体２からの給水圧が作用していない状態と弁機構３０に給水圧が作用している状態において押しボタン１４の位置が変位する。具体的には、押しボタン１４は、弁機構３０を閉じるための操作が行われ、シャワーヘッド６が止水状態となっている場合、弁機構３０に給水圧が作用している状態での位置である圧作用位置と、弁機構３０に給水圧が作用していない状態での位置である圧解除位置との間で位置が変位する。そのため、押しボタン１４の位置により、シャワーヘッド６が止水状態とされた際（押しボタン１４が閉状態の際）に、弁機構３０に給水圧が作用している、即ち、水栓本体２は通水状態であることを使用者に認識させ、注意喚起を行うことができる。
【００７５】
押しボタン１４が閉じた状態において、弁機構３０に水栓本体２からの給水圧が作用した状態は、長期間続くことで、弁機構３０や押しボタン１４のシール部材等の劣化を進行させる。そこで、上述したような押しボタン１４の位置による注意喚起を行うことで、この注意喚起に従って使用者が水栓本体２の切り替えハンドル１０にて開閉弁８を閉止することで、ホース４、シール部材であるパッキン４０、弁機構３０を構成する弁体３２等に長期間に亘って給水圧による負荷がかかり続けることを防ぐことができ、これらの部材の劣化の促進を抑制することができる。そのため、これらの部材における止水不良による漏水を抑制することが可能となる。さらに、弁体３２が給水圧により長期間に亘って弁座３４に押し付けられることを防ぐことができ、弁座３４のへたりや変形に起因する弁体３２の弁座３４への固着や食いつきを抑制することができる。そのため、弁体３２の弁座３４への固着や食いつきによる、押しボタン１４の操作性の悪化を抑制することが可能となる。
【００７６】
また、ホース４、パッキン４０や弁体３２の劣化が抑制されるため、これら部材を耐久性の高い高価な材料で形成しなくともよく、より安価に製造することができる。さらに、耐久性向上のためにこれら部材の厚さや幅を増す必要もないため、これら部材の大型化を回避することができる。そのため、シャワーヘッド６が大型化して手に持ちにくくなり、使用者にとって使い勝手が悪いものとなってしまうことを防ぐことができる。
【００７７】
さらに、本発明の一実施形態における水栓装置１は、押しボタン１４が圧作用位置に位置していることを、開口部１１の周縁部１１ａから露出した状態か否かにより報知するマーキング１４ａを有する。そのため、このマーキング１４ａにより、押しボタン１４が水栓本体２からの給水圧により移動した位置となっているか否かを、使用者が簡単に判別できる。よって、押しボタン１４へのマーキングという簡単な加工によって、より確実に使用者に注意喚起を行うことができ、ホース４、パッキン４０や弁体３２の劣化をさらに生じにくくすることができ、止水不良に伴う漏水の発生をより確実に抑制することが可能となる。また、弁座３４のへたりや変形に起因する弁体３２の弁座３４への固着や食いつきをさらに抑制することができ、弁体３２の弁座３４への固着や食いつきによる、押しボタン１４の操作性の悪化をより確実に抑制することが可能となる。
【００７８】
また、本発明の一実施形態における水栓装置１によれば、弁体３２は、押しボタン１４が押圧操作される方向と略直交し、且つ通水路１５の通路方向に沿う方向に往復移動可能に設けられ、押しボタン１４が押圧操作されることで通路方向に沿う方向に往復移動して弁座３４に離着座し、通水路１５を開閉する。給水圧は通水路１５の通路方向に沿った方向に作用するため、弁体３２の移動方向が通水路１５の通路方向に沿った方向でない場合に比べ、より簡単な構成で弁体３２を弁座３４に着座させて弁機構３０を閉状態とし、押しボタン１４を圧作用位置へと移動させることが可能となる。
【００７９】
なお、上述した本発明の一実施形態においては、押しボタン１４は、シャワーヘッド６が止水状態であり、且つ弁機構３０に給水圧が作用している間は、押しボタン１４が押圧操作される方向とは逆方向（図２〜図５における上方向）へと移動した位置に保持されるように構成されている。本発明は、このような形態に限定されるものでなく、例えば、シャワーヘッド６が止水状態であり、且つ弁機構３０に給水圧が作用している間は、押しボタン１４が押圧操作される方向と同方向（図２〜図５における下方向）へと移動した位置に保持されるように構成しても良い。
【００８０】
さらに、上述した本発明の一実施形態においては、押しボタン１４が圧作用位置に位置すること及び圧解除位置に位置することの少なくとも一方を報知するために、押しボタン１４の外周面に沿って全周に亘って設けられた、押しボタン１４の他の部分とは異なる色の環状の領域であるマーキング１４ａを用いている。本実施形態では、押しボタン１４が圧作用位置にある状態でマーキング１４ａが露出し、押しボタン１４が圧解除位置にある状態でマーキング１４ａが隠れる構成を採用することで、押しボタン１４が圧作用位置にあることをマーキング１４ａの露出によって積極的に報知している。この点、例えば、押しボタン１４の圧作用位置と圧解除位置との両方でマーキングを露出させ、各位置で表れるマーキングの形態や色等を互いに異ならせる構成を採用することで、押しボタン１４が圧作用位置にあること及び圧解除位置にあることの両方をマーキング１４ａの露出によって積極的に報知してもよい。
【００８１】
本発明においては、マーキングは本実施形態に限定されるものでなく、マーキングは、環状に限らず、例えば、複数個所に設けられ押しボタン１４の圧作用位置と圧解除位置との間の変位により露出状態が変化する丸状部材でも良い。マーキングに関しては、押しボタン１４の外周面に塗装を施すことによって構成しても良い。例えば、施す塗装を反射塗料等として照明で反射するように構成しても良い。また、マーキングは、圧作用位置と圧解除位置とでそれぞれＬＥＤ等の発光の有無や色を変化させても良く、スピーカ等を組み込んで押しボタン１４が変位する毎に音声が流れるようにしても良い。さらに、マーキングとしては、押しボタン１４の外周面において、押しボタン１４の圧作用位置と圧解除位置との間の変位により露出状態が変化する位置に、シボ加工を施したり凹部や凸部を形成したりすること等により設けられる、使用者の触覚に訴えるものであっても良い。
【符号の説明】
【００８２】
１…水栓装置
２…水栓本体
２ａ…本体部
２ｂ…カラン接続管
３…カラン
４…ホース
６…シャワーヘッド
７…シャワーヘッド本体
７ａ…円形開口部
７ｂ…把持部
８…開閉弁
９…温調ハンドル
１０…切り替えハンドル
１１…開口部
１１…周縁部
１２…散水板
１２ａ…散水孔
１２ｂ…取り付け部
１４…押しボタン
１４ａ…マーキング
１５…通水路
１６…入水路
１６ａ…先端部
１７…安全弁
１８…出水路
１８ａ…取り付け部
２０…通水路連結部
２０ａ…小口径円筒部
２０ｂ…大口径円筒部
２２…整流部
２４…散水室
２６…散水ノズル部
２６ａ…散水ノズル
２８…拡散部
２８ａ…円板部
２８ｂ…軸部
２９…押しボタン室
３０…弁機構
３１…弁孔
３２…弁体
３２ａ…着座部
３２ｂ…バネ取り付け部
３２ｃ…孔部
３２ｄ…傾斜平面
３３…弁座部材
３４…弁座
３５…弁体バネ
３６…操作軸
３８…押しボタン機構
３８ａ…ラッチ機構本体
３８ｂ…回転子
３８ｃ…押しボタン側バネ
３８ｄ…弁体側バネ
３８ｅ…ガイド
４０…パッキン
【図１】
2014064745.tif 000003
【図２】
2014064745.tif 000004
【図３】
2014064745.tif 000005
【図４】
2014064745.tif 000006
【図５】
2014064745.tif 000007